(57)【特許請求の範囲】
【請求項１】
呼吸器の内部の異物を除去する医療用吸引器に設けられたカテーテルの呼吸器への進入をガイドするカテーテルガイド構造体において、
酸素供給口（１１０）付き第１のガイドモジュール（１００）と、
前記第１のガイドモジュール（１００）に連結して設けられ、前記第１のガイドモジュール（１００）の内部へのカテーテルの進入が必要な場合にのみ開放される内部空間が設けられた第２のガイドモジュール（２００）と、
前記第２のガイドモジュール（２００）に連結して設けられ、前記第１のガイドモジュール（１００）の内部へのカテーテルの進入を誘導する第３のガイドモジュール（３００）と、
を備え、
前記第２のガイドモジュール（２００）に設けられた内部空間は、ユーザーの操作により膨張される風船（２８５）により充填されることを特徴とするカテーテルガイド構造体。
【請求項２】
前記第３のガイドモジュール（３００）の側面には、前記カテーテルの内部に食塩水を投入する投入口（３５０）が配設されていることを特徴とする請求項１に記載のカテーテルガイド構造体。
【発明の詳細な説明】
【技術分野】
【０００１】
本発明は、カテーテルガイド構造体に係り、更に詳しくは、酸素呼吸器を装着した患者の呼吸器に存在する痰などの異物を吸い込むカテーテルを患者の呼吸器に挿入する作業と、カテーテルを除去する作業に対する効率性が確保されることにより、患者に対する迅速且つ効率的な看護処置が可能になるだけではなく、カテーテルの内部及び外部における洗浄及び殺菌作業が手軽に行えるカテーテルガイド構造体に関する。
【背景技術】
【０００２】
医療用吸引器は、病院において施術をしながら患者の身体の中から発生する血液、唾液、嘔吐物及び分泌物などの異物を容器に強制的に吸い込んで除去する医療用異物吸込み装置である。
【０００３】
一般に、病院や家庭において挙動が不自由な患者は、常に吸引器を装着し、保護者や看護師が異物を気道や手術部位から抜き取る。
【０００４】
一方、酸素呼吸器を装着した患者の呼吸器に痰などの異物が発生した場合、看護師は、酸素呼吸器が患者に装着されている状態で患者の呼吸器に医療用吸引器に設けられたカテーテルを挿入することにより、異物を除去する。
【０００５】
このような異物の吸込み処置において、看護師は、酸素呼吸器に別設されているカテーテルの進入通路を平常時には遮断しなければならず、呼吸器の異物を吸い込むためには、カテーテルの進入通路を一時的に開放しなければならないが、従来には、このようなカテーテルの進入通路の遮断及び開放作業を医療陣が自ら行わなければならず、これによる処置作業の非効率性により患者に必要な異物の吸込み処置を適時に行い難いという問題があった。
【０００６】
なお、従来の技術による医療用吸引器に設けられたカテーテルは、その洗浄及び管理し難さによりほとんど使い捨てられるという技術的な限界があった。
【発明の概要】
【発明が解決しようとする課題】
【０００７】
したがって、本発明の目的は、酸素呼吸器を装着した患者の呼吸器に存在する痰などの異物を吸い込むカテーテルを患者の呼吸器に挿入する作業と、カテーテルを除去する作業に対する効率性が確保されることにより、患者に対する迅速且つ効率的な看護処置が可能になるだけではなく、カテーテルの内部及び外部における洗浄及び殺菌作業が手軽に行えるカテーテルガイド構造体を提供することにある。
【課題を解決するための手段】
【０００８】
前記目的を達成するための本発明によるカテーテルガイド構造体は、呼吸器の内部の異物を除去する医療用吸引器に設けられたカテーテルの呼吸器への進入をガイドするカテーテルガイド構造体において、酸素供給口１１０付き第１のガイドモジュール１００と、前記第１のガイドモジュール１００に連結して設けられ、前記第１のガイドモジュール１００の内部へのカテーテルの進入が必要な場合にのみ開放される内部空間が設けられた第２のガイドモジュール２００と、前記第２のガイドモジュール２００に連結して設けられ、前記第１のガイドモジュール１００の内部へのカテーテルの進入を誘導する第３のガイドモジュール３００と、を備える。
【０００９】
好ましくは、前記第２のガイドモジュール２００に設けられた内部空間は、ユーザーの操作により膨張される風船２８５により充填されることを特徴とする。
【００１０】
また、前記第３のガイドモジュール３００の側面には、前記カテーテルの内部に食塩水を投入する投入口３５０が配設されていることを特徴とする。
【発明の効果】
【００１１】
本発明によれば、酸素呼吸器を装着した患者の呼吸器に存在する痰などの異物を吸い込むカテーテルを患者の呼吸器に挿入する作業と、カテーテルを除去する作業に対する効率性が確保されることにより、患者に対する迅速且つ効率的な看護処置が可能になる。
【００１２】
また、本発明によれば、医療用吸引器に設けられたカテーテルの内部及び外部における洗浄及び殺菌作業が手軽に行える。
【図面の簡単な説明】
【００１３】
【図１】本発明の一実施形態によるカテーテルガイド構造体の構造を示す側面図である。
【図２】本発明の一実施形態によるカテーテルガイド構造体の構造を示す上面図である。
【図３】図１及び図２における第２のガイドモジュールに連結して設けられる第３のガイドモジュールの構造を示す図である。
【図４】発明の一実施形態によるカテーテルガイド構造体における第１のガイドモジュール、第２のガイドモジュール及び第３のガイドモジュールが連結して設けられた状態を示す図である。
【発明を実施するための形態】
【００１４】
以下、添付図面に基づき、本発明について詳述する。図中、同じ構成要素には、できる限り同じ参照符号を付していることに留意すべきである。なお、本発明の要旨を余計に曖昧にするおそれがある公知の機能及び構成についての詳細な説明は省略する。
【００１５】
図１は、本発明の一実施形態によるカテーテルガイド構造体の構造を示す側面図であり、図２は、本発明の一実施形態によるカテーテルガイド構造体の構造を示す上面図である。
【００１６】
本発明におけるカテーテルガイド構造体は、呼吸器の内部の異物を除去する医療用吸引器に配設された、痰などの異物吸込み管であるカテーテルの呼吸器への進入をガイドする機能を行う。
【００１７】
図１及び図２を参照すると、本発明の一実施形態によるカテーテルガイド構造体は、第１のガイドモジュール１００及び第１のガイドモジュール１００に連結して設けられた第２のガイドモジュール２００を備える。
【００１８】
まず、第１のガイドモジュール１００は、本体部１３０及び本体部１３０の側面に配設された酸素供給口１１０を備える。本体部１３０の一方の端は患者の首に固設されて患者の首を介して患者に酸素を供給するか、或いは、患者の呼吸器の内部にカテーテルを進入させる。なお、本体部１３０の他方端には第２のガイドモジュール２００が連結して設けられる。
【００１９】
一方、酸素供給口１１０には酸素呼吸器が設けられ、酸素供給口１１０を介して供給される酸素は、本体部１３０を介して患者に供給される。一方、本発明を行うに当たっては、患者によりきれいな酸素を供給するように、酸素供給口１１０の内部に空気浄化フィルタを設けてもよい。
【００２０】
また、第１のガイドモジュール１００及び第２のガイドモジュール２００が結合して設置されるに当たって、第１のガイドモジュール１００が回転自在に設けられることが好ましく、これにより、ユーザーは、酸素供給器の配設位置及び病床の環境に応じて酸素供給口１１０の方向を調節し易い。
【００２１】
第２のガイドモジュール２００は、開閉口２１０、連結部２３０、係合口２５０、第１のポート２７０及び第２のポート２９０を備える。連結部２３０は、第２のガイドモジュール２００を第１のガイドモジュール１００に取設する機能を行い、係合口２５０は、第３のガイドモジュール３００と係合される。
【００２２】
開閉口２１０は、連結部２３０と係合口２５０との間にカテーテルの進入方向と直角に形成されており、第３のガイドモジュール３００から進入するカテーテルの第１のガイドモジュール１００の内部への進入が必要な場合にのみ内部空間が開放され、カテーテルの進入が必要ではない場合には内部空間が膨張された風船２８５により充填されることにより、酸素供給口１１０を介して供給される酸素が患者に供給できずに、係合口２５０を介して外部に流出されることを遮断する。
【００２３】
一方、図２に示すように、連結部２３０の側面には第１のポート２７０及び第２のポート２９０が形成されている。第１のポート２７０には患者の呼気ガスの質量を測定する質量流量計（ＭＡＳＳ ＦＬＯＷ ＭＥＴＥＲ：ＭＦＭ）センサーが連結して設けられ、第２のポート２９０は、患者の気道及び気管支の湿度を保つ機能を行う。
【００２４】
気道及び気管支の湿度を保つために、第２のポート２９０を介して食塩水が供給され、必要に応じて、第２のポート２９０を介して患者の気道に酸素が供給される。
【００２５】
図３は、図１及び図２における第２のガイドモジュール２００に連結して設けられる第３のガイドモジュール３００の構造を示す図である。図３を参照すると、本発明の一実施形態による第３のガイドモジュール３００は、誘導口３１０、ボトルネック部３３０、投入口３５０及び締付口３７０を備える。
【００２６】
誘導口３１０は、カテーテルの挿入を誘導し、誘導口３１０を介して挿入されたカテーテルは、ボトルネック部３３０を経て締付口３７０まで進入する。
【００２７】
締付口３７０は、第２のガイドモジュール２００に設けられた係合口２５０の内部に図４に示すように嵌設されるが、係合口２５０に設けられた状態で回転自在に設けられることが好ましい。
【００２８】
この場合、ユーザーは、カテーテル供給装置の位置及び病床の環境に応じて締付口３７０の回転角度を調節することにより、第３のガイドモジュール３００の設置方向を調節することができ、その結果、カテーテルの第２のガイドモジュール２００への進入に際して様々な進入角度を形成することができ、これにより、ユーザーは、患者の痛症を極力抑える方向にカテーテルの進入角度を調節することができる。
【００２９】
ボトルネック部３３０は、第３のガイドモジュール３００の内部に形成されたカテーテルの移動通路の大きさが狭くなった区間を形成する。具体的に、ボトルネック部３３０の内部に形成されたカテーテルの移動通路の直径は、カテーテルの外面に摩擦抵抗を発生しない範囲内においてカテーテルの外径と略一致させることが好ましい。
【００３０】
一方、ボトルネック部３３０により形成される移動通路のボトルネック区間の下側先端（ボトルネック区間の下端）部分には誘導口３１０が形成されており、ボトルネック区間の上側端（ボトルネック区間の上端）部位には一対の投入口３５０が形成されている。
【００３１】
ユーザーは、第３のガイドモジュール３００の側面に形成されている一対の投入口３５０を介して食塩水又は殺菌水を第３のガイドモジュール３００の内部に供給することができ、より具体的に、ユーザーは、カテーテルの吸込み端部をボトルネック部３３０の内部のボトルネック区間の上端に位置させた状態で投入口３５０を介して食塩水又は殺菌水を供給することにより、カテーテルの内部に食塩水又は殺菌水が投入される結果、カテーテルの内部の壁面に対する洗浄又は殺菌処理を行うことができる。
【００３２】
一方、ボトルネック部３３０の内部の移動通路とカテーテルの外部面との間には、微細な隙間（約０．５ｍｍ）が存在するため、投入口３５０を介して供給された食塩水又は殺菌水はカテーテルの外部面にも供給され、その結果、カテーテルの外部面に対する洗浄又は殺菌処理を行うこともできる。
【００３３】
一方、本発明を行うに当たっては、ボトルネック部３３０の内部のボトルネック区間の中央に移動通路が再び広くなる拡開区間（図示せず）を形成することにより、拡開区間においてカテーテルの外部面を食塩水又は殺菌水により所定の時間（約３分）沈積して、カテーテルの外部面に対する洗浄又は殺菌処理の効果を倍加してもよい。
【００３４】
一方、所定の沈積時間が経過した場合には、吸込み装備を用いて誘導口３１０を介してボトルネック部３３０の内部の拡開区間に貯留されている食塩水又は殺菌水を外部に排出することが好ましい。
【００３５】
また、呼吸器の内部に前進して挿入されていたカテーテルが後進することにより、ボトルネック区間の上端に形成されている突出爪にカテーテルの外部面に付着している異物が離脱され、このようにカテーテルの外部面から外された異物は、吸込み装備を用いて誘導口３１０を介して外部に排出することができる。
【００３６】
このように、本発明によれば、医療用吸引器に配設されたカテーテルの内部及び外部における洗浄及び殺菌作業が手軽に行える。
【００３７】
図４は、本発明の一実施形態によるカテーテルガイド構造体における第１のガイドモジュール１００、第２のガイドモジュール２００及び第３のガイドモジュール３００が連結して設けられる状態を示す図である。
【００３８】
図４に示すように、第２のガイドモジュール２００に配設された開閉口２１０の端部には、一方の端に風船２８５が設けられ、他方の端に空気注入口２８７付き開閉モジュール２８０が嵌設される。
【００３９】
一方、患者の呼吸器から痰などの異物を除去する必要がない場合には、第１のガイドモジュール１００にカテーテルが流入する必要がないため、制御部（図示せず）は、空気注入口２８７に連結して設けられたエアコンプレッサ（図示せず）を介して風船２８５に空気を注入することにより、開閉口２１０の内部空間に設けられている風船２８５が膨張されて内部空間を充填することにより、開閉口２１０の係合口２５０との連結通路及び開閉口２１０の連結部２３０との連結通路を両方とも閉鎖する。
【００４０】
このように開閉口２１０の内部空間を閉鎖することにより、酸素供給口１１０を介して第１のガイドモジュール１００に供給される酸素が第２のガイドモジュール２００及び第３のガイドモジュール３００を介して外部に消失されることを防ぐことができるだけではなく、第３のガイドモジュール３００に連結して設けられているカテーテルが吸い込んだ痰などの汚染物質が第１のガイドモジュール１００を介して患者に伝わることを防ぐことができ、患者の呼吸により第３のガイドモジュール３００に連結して設けられているカテーテルが汚れることも防ぐことができる。
【００４１】
一方、患者の呼吸器から痰などの異物を除去する必要がある場合には、第１のガイドモジュール１００にカテーテルが流入されなければならないため、制御部（図示せず）は、空気注入口２８７とエアコンプレッサ（図示せず）とを解体し、風船２８５から空気を排出することにより、開閉口２１０の内部空間に設けられている風船２８５が収縮されることにより、開閉口２１０の係合口２５０との連結通路及び開閉口２１０の連結部２３０との連結通路を両方とも開放する。
【００４２】
このように、開閉口２１０の内部空間が開放されることにより、第３のガイドモジュール３００を介して進入するカテーテルは、第２のガイドモジュール２００及び第１のガイドモジュール１００の内部を通過して患者の呼吸器に進入することが可能になる。
【００４３】
このように、本発明によれば、酸素呼吸器を装着している患者の呼吸器に存在する痰などの異物を吸い込むためにカテーテルを呼吸器に挿入するに当たって、開閉口２１０の内部空間を開放する作業と、カテーテルを取り除いた後に開閉口２１０の内部空間を閉鎖する作業とが開閉モジュール２８０により自動的に行われることにより、患者に対する迅速且つ効率的な看護処置を行うことができる。
【００４４】
一方、第２のガイドモジュール２００に進入するカテーテルは、係合口２５０から開閉口２１０を経て連結部２３０を介して第１のガイドモジュール１００に進入するが、連結部２３０に進入する過程において、カテーテルが連結部２３０及び開閉口２１０間の境界爪に引っ掛からないように、図４に示すように、係合口２５０の立設の高さを連結部２３０の立設の高さよりも所定の大きさ（約１ｃｍ）に見合う分だけ高く形成することが好ましい。
【００４５】
一方、本発明を行うに当たって、風船２８５を用いて実現した開閉モジュール２８０の機能は、ソレノイド弁の選択的な遮蔽機能、エアカーテンによる選択的な遮蔽機能、ばねなどの弾性構造体の弾性力による選択的な遮蔽機能を用いて実現してもよい。
【００４６】
本発明において用いた用語は、単に特定の実施形態を説明するために用いられたものに過ぎず、本発明を限定しようとする意図を有するものではない。単数の表現は、文脈からみて、明らかに異なる意味を有さない限り、複数の表現を含む。本出願において、「備える」又は「有する」などの用語は、明細書に記載の特徴、数字、ステップ、動作、構成要素、部品又はこれらを組み合わせたものが存在することを指定するためのものに過ぎず、一つ又はそれ以上の異なる特徴や数字、ステップ、動作、構成要素、部品又はこれらを組み合わせたものの存在又は付加可能性を予め排除しないものであると理解されるべきである。
【００４７】
以上、本発明の好適な実施形態及び応用例について図示して説明したが、本発明は、上述した特定の実施形態及び応用例に何ら限定されるものではなく、特許請求の範囲において請求する本発明の要旨を逸脱することなく、当該発明が属する技術分野において通常の知識を有する者により種々の変形実施が行えるということはいうまでもなく、これらの変形実施は、本発明の技術的思想や見込みから個別的に理解されてはならない筈である。
【符号の説明】
【００４８】
１００：第１のガイドモジュール
１１０：酸素供給口
１３０：本体部
２００：第２のガイドモジュール
２１０：開閉口
２３０：連結部
２５０：係合口
２７０：第１のポート
２８０：開閉モジュール
２８５：風船
２８７：空気注入口
２９０：第２のポート
３００：第３のガイドモジュール
３１０：誘導口
３３０：ボトルネック部
３５０：投入口
３７０：締付口
【図１】
0006407219.tif 000002
【図２】
0006407219.tif 000003
【図３】
0006407219.tif 000004
【図４】
0006407219.tif 000005